(57)【特許請求の範囲】
【請求項１】
内容物を取り出すための管状部材に対する十分な幅を有していない平面状の縁部とこれに続く容器強度設定用の内側への膨出部とから少なくともなる底面を備えるとともに、内容物を取り出すための管状部材が、当該縁部の所定部分の真上に配設された開口部のキャップに取り付けられる容器において、
前記管状部材の先端部分の受け部が、前記所定部分に続く膨出部相当部分で前記開口部の形状に対応した所定範囲全体についてのみ、前記縁部と略同一平面の態様により連続して形成され、
前記管状部材のガイドホルダが、その下端部分を前記受け部の近くに位置させる態様で前記キャップに設けられている、
ことを特徴とする容器。
【請求項２】
前記管状部材の先端部分がテーパ状に形成されている、
ことを特徴とする請求項１記載の容器。
【発明の詳細な説明】
【０００１】
【発明の属する技術分野】
本発明は、管状部材（以下、必要に応じて「パイプ」という）を用いて容器内部から取り出した洗剤、調味料、消毒液や灯油などを厨房、洗面所や作業室などに供給するときの供給側容器に関し、特に内用物取出し用の管状部材を取りつけるための開口部を有し、かつ、底面が、少なくとも平面状の縁部とこれに続く内側への膨出部分とで形成されている容器に関する。
【０００２】
一般に、容器底面は、平面状の縁部を除いた大半の部分が容器内側に膨出した形状となっているため、容器を床面に置いた状態でその中の内容物をパイプで取り出して使用する場合、最終的には内容物はもっぱら当該縁部に存在することになるが、このような状況でも残留内容物を利用できるようにすることが望ましく、本発明はこの要請に応えるものである。
【０００３】
【従来の技術】
図２は、一般的な容器および内容物取出し用のパイプを示す説明図であって、 (a)は断面図、 (b)は底面図をそれぞれ示している。
図３は、図２の容器を積み重ねた状態を示す説明図であり、これらの図において、
１は、洗剤や調味料などの各種内容物を入れた容器
１ａは、容器底面の平面状の縁部
１ｂは、縁部１ａに続く斜面部
１ｃは、斜面部１ｂに囲まれた膨出部
１ｄは、膨出部１ｃに形成した補強用のリブ
１ｅは、容器上面（の外側部分）に形成した開口部
１ｆは、容器上面（の中央部分）に形成した把持部
１ｇは、容器上面（の外側部分）に形成した蓋付きの空気孔
２は、ハイプ挿入用の孔部を持ち開口部１ｅに取り付けられるキャップ
３は、キャップ２の孔部に連続するかたちで当該キャップと一体に成形されたガイドホルダ
４は、ガイドホルダ３に取り付けられる内容物取出し用のパイプ
をそれぞれ示している。
【０００４】
なお、開口部１ｅとキャップ２との間や、ガイドホルダ３とパイプ４との間に生じる隙間を通じて容器内外間の空気の流れが確保できる容器の場合、新たに空気孔１ｇを設けないこともある。
【０００５】
ここで、容器１は例えば金型を用いたブロ−成型により作成される容量２０リットルの業務用ポリボトルであり、また、ガイドホルダ３は例えば直径９mmのポリプロピレン製のもの、パイプ４は例えば直径６mmのステンレス製やポリエチレン製のものである。開口部１ｅは例えば直径８０mmの円となっている。
【０００６】
容器底面の膨出部１ｃは、
・容器自体の強度を高め、
・容器を積み重ねたときに下側容器の把持部１ｆの一部が入り込んで上下の容器同士間の位置決めをする（図３参照）、
などの機能を持ち、そのスペ−スは容器底面の大半を占めている。
【０００７】
容器１の使用に際しては、当該容器のガイドホルダ３にパイプ４をその先端部が容器底面の近くになるまで挿入するとともに、その容器外側の端部を内容物の取出し側である例えば厨房に配置する。なお、内容物の取り出しには周知のポンプ機構などが用いられる。
【０００８】
【発明が解決しようとする課題】
このように、従来の、底面の大半に膨出部を形成した容器に内容物取出し用のパイプを取り付けた状態では、その先端部が膨出部にかかることが多く、この場合、少量となって平面状の縁部に残った内容物を取り出して使用するこができないという問題点があった。
【０００９】
そこで、本発明では、容器底面の、容器に取り付けた内容物取出し用のパイプの先端部分が位置する所定の範囲については、膨出部を形成せずにその縁部と同じ平面にすることにより、容器自体のそれまでの強度をほぼ維持したまま、容器底面の縁部に残った内容物についても容器から確実に取り出して、内容物の効率的な使用を図ることを目的とする。
【００１０】
【課題を解決するための手段】
この課題を解決するために、本発明では、次の構成からなる容器を用いている。
（１）内容物を取り出すための管状部材に対する十分な幅を有していない平面状の縁部（例えば後述の縁部１ａ）とこれに続く容器強度設定用の内側への膨出部（例えば後述の膨出部１ｃ）とから少なくともなる底面を備えるとともに、内容物を取り出すための管状部材（例えば後述のパイプ４’）が、当該縁部の所定部分の真上に配設された開口部（例えば後述の開口部１ｅ）のキャップ（例えば後述のキャップ２）に取り付けられる容器において、
前記管状部材の先端部分の受け部が、前記所定部分に続く膨出部相当部分で前記開口部の形状に対応した所定範囲全体についてのみ、前記縁部と略同一平面の態様により連続して形成され、
前記管状部材のガイドホルダ（例えば後述のガイドホルダ３）が、その下端部分を前記受け部の近くに位置させる態様で前記キャップに設けられている。
（２）上記（１）において、
前記管状部材の先端部分がテーパ状に形成されている。
【００１１】
このような構成をとっているので、膨出部の存在によって得られる容器自体の強度はほぼ維持されるとともに、少量になった内容物が容器底面の縁部のみに残留する状況でも、内容物取出し用のパイプの先端部分はこの残留分に入りこみ、当該残留分も確実に容器から取り出される。
【００１２】
また、管状部材のガイドホルダ−を設けているので、合成樹脂製で可撓性のある管状部材を容器に取り付ける場合にも、管状部材はガイドホルダ−に案内されてその先端部が前記平面部分に確実に設定される。
【００１３】
また、管状部材の先端部分をテ−パ状に形成しているので、容器底面の縁部などに残留した内容物もより確実に容器から取り出される。
【００１４】
【発明の実施の形態】
図１は、本発明の容器および内容物取出し用のパイプを示す説明図であって、 (a)は断面図、 (b)は底面図をそれぞれ示している。
ここでの新たなことは、図２の容器１において、
・開口部１ｅに対応の所定範囲、例えば開口部１ｅの真下の、当該開口部の略右半分に相当する膨出部領域を、容器底面の平面状の縁部１ａと同じ平面からなるパイプ受け部１ｈにしたこと
・パイプ４′の先端部分２〜３mmをテ−パ状に形成したこと
などであり、その他の参照番号の構成要素は図２および図３の容器１のそれぞれと同様である。
【００１５】
このパイプ４′をガイドホルダ３に挿入すると、テ−パ状に形成されたその先端部分は容器底面のパイプ受け部１ｈおよびその近くの縁部１ａからなる範囲に位置することになる。
【００１６】
パイプ受け部１ｇを形成するには、例えば図２および図３の容器１の作成用金型の前記膨出部領域に対応する部分を、縁部１ａに対応する部分と同じ平面にした形状の金型を用いてブロ−成型すればよい。
【００１７】
なお、ガイドホルダ３を用いるかどうか、その長さをどの程度にするかなどは基本的には任意であり、パイプ４′の材質や容器内の高さなどに基づいて決めればよい。
【００１８】
また、本発明が、図示の容器に限定されるのではなく、
・各種形状の容器（底面が正方形状、円形状の容器など）
・各種の材質からなる容器（プラスチック製の容器、金属製の容器など）
・各種用途の容器（業務用容器、家庭用容器など）
などのそれぞれに適用できることは勿論である。
【００１９】
【発明の効果】
本発明は、このように、容器底面の、内容物取出し用の管状部材の先端部分が位置する所定の範囲については、膨出部を形成せずにその縁部と同じ平面にしているので、容器自体の強度を確保するための膨出部の形成範囲をそれほど減少させずに、容器底面の縁部に残った内容物についても容器から確実に取り出して、内容物の効率的な使用を図ることができる。
【００２０】
また、管状部材のガイドホルダ−を設けているので、合成樹脂製で可撓性のある管状部材を容器に取り付ける場合にも、その先端部を容器底面の平面部分に設定することがてきる。
【００２１】
また、管状部材の先端部分をテ−パ状に形成しているので、容器底面の縁部などに残留した内容物を容器からより確実に取り出すことができる。
【図面の簡単な説明】
【図１】本発明の、容器および内容物取出し用のパイプ（管状部材）を示す説明図であって、 (a)は断面図、 (b)は底面図をそれぞれ示している。
【図２】一般的な、容器および内容物取出し用のパイプ（管状部材）を示す説明図であって、 (a)は断面図、 (b)は底面図をそれぞれ示している。
【図３】一般的な、容器を積み重ねた状態を示す説明図である。
【符号の説明】
１  ：容器
１ａ：平面状の縁部
１ｂ：斜面部
１ｃ：膨出部
１ｄ：リブ
１ｅ：開口部
１ｆ：把持部
１ｇ：空気孔
１ｈ：パイプ受け部（管状部材受け部）
２  ：キャップ
３  ：ガイドホルダ
４  ：パイプ（管状部材）
４′：先端部分をテ−パ状に形成したパイプ（管状部材）
【図１】
0003960398.tif 000002
【図２】
0003960398.tif 000003
【図３】
0003960398.tif 000004